(57)【要約】【課題】微小文字等が印刷されることにより偽造抑止できる印刷物を提供する。【解決手段】本発明に係る印刷体は、基材と、基材上に配置される印刷要素と、印刷要素が複数集合して構成され、目視による判読が困難な大きさでかつ拡大して判読可能な微小文字又は微小記号である微小印刷体と、を備える。【選択図】図３
2018094730.tif 000002
【特許請求の範囲】
【請求項１】
基材と、
前記基材上に配置される印刷要素と、
前記印刷要素が複数集合して構成され、目視による判読が困難な大きさでかつ拡大して判読可能な微小文字又は微小記号である微小印刷体と、を備える印刷物。
【請求項２】
一種類以上の前記微小印刷体が複数集合して一群の微小印刷部を構成し、
前記微小印刷部は、
複数集合して目視により認識可能な所定の形状に形成された印刷領域を構成する、請求項１に記載の印刷物。
【請求項３】
前記印刷領域は、
複数の異なる前記微小印刷部を含む、請求項２に記載の印刷物。
【請求項４】
前記印刷領域は、
複数の異なる前記微小印刷部が集合して構成される、請求項２に記載の印刷物。
【請求項５】
前記微小印刷体は、
１０μｍ以上、２５０μｍ以下の大きさである、請求項１〜４の何れか１項に記載の印刷物。
【請求項６】
前記印刷要素は、
前記基材の表面の法線方向から見た時の大きさが１μｍ以上２０μｍ以下である、請求項１〜５の何れか１項に記載の印刷物。
【発明の詳細な説明】
【技術分野】
【０００１】
本願発明は、微小文字又は微小記号を有する印刷物に関する。
【背景技術】
【０００２】
従来から微小文字又は微小記号が印刷された有価証券などの印刷物が知られている。例えば特許文献１には、「グラビア印刷により、紙基材上の少なくとも一部に７５μｍ以上、２５０μｍ以下の大きさの微小文字又は微小記号が、目視による判読は困難な大きさであって、かつ、拡大して判読可能な文字の形又は記号の形に印字されている」印刷物が開示されている。微小文字等を集合させて所定の模様等を構成することにより、肉眼で判読できる範囲では所定の模様のみが視認でき、拡大すると微小文字が判読できるようになっている。このように印刷された印刷物は、微小文字等が偽造者等に認知されることを極力防止することができ、拡大することにより印刷物の真偽を判定することができるため、偽造防止効果が得られる。
【０００３】
また、例えば、特許文献２においては、「比較的小さな印刷領域に対し、グラビア印刷により、ほぼ字高４００μｍ以下の微小文字を印刷したことを特徴とする有価証券類の印刷物」が開示されている。
【先行技術文献】
【特許文献】
【０００４】
【特許文献１】特開２０１４−４３０２１号公報
【特許文献２】特開２０００−１６８２２４号公報
【発明の概要】
【発明が解決しようとする課題】
【０００５】
特許文献１及び特許文献２に開示されている印刷物は、何れもグラビア印刷により印刷され、主に紙の表面に微小文字又は微小記号が印刷されている。グラビア印刷により微小文字等を印刷しているため、紙などの薄い平板状の基材にしか対応できないという課題があった。
【０００６】
本発明は、上記のような課題を解決するためになされたものであり、基材の形状に拘わらず微小文字等が印刷された印刷物を提供するものである。
【課題を解決するための手段】
【０００７】
本発明に係る印刷物は、基材と、前記基材上に配置される印刷要素と、前記印刷要素が複数集合して構成され、目視による判読が困難な大きさでかつ拡大して判読可能な微小文字又は微小記号である微小印刷体と、を備える。
【発明の効果】
【０００８】
本発明によれば、曲面を有する基材であっても、目視による判読が困難な大きさの微小文字等が印刷することができるため、偽造者等による認知が困難であり、偽造防止効果を向上させることができる印刷物を提供することができる。
【図面の簡単な説明】
【０００９】
【図１】本発明の実施の形態１における、印刷物の一例を示す模式図である。
【図２】図１の印刷物の断面の一部を示す模式図である。
【図３】図１の印刷物の表面の印刷領域の一部の領域Ａを拡大したときの一例を示す図である。
【図４】図１の印刷物の表面の印刷領域の一部の領域Ａを拡大したときの別の一例を示す図である。
【発明を実施するための形態】
【００１０】
［実施の形態１］
図１は、本発明の実施の形態１における、印刷物１０の一例を示す模式図である。図１に示されるように、本発明の実施の形態１における、印刷物１０は、基材１１とその表面に印刷がされている印刷領域１２とから構成されている。印刷領域１２は、印刷物１０の仕様に応じて所定の形状になっている。その形状は、例えば、文字、図形、又は記号等であり、印刷物１０の表面１３の装飾模様、又は情報伝達に用いられるものである。図１に示される領域Ａは、印刷領域１２の一部である。領域Ａについては、図３及び図４で説明する。なお、領域Ａは、印刷領域１２の一部を例示するものであって、領域Ａの印刷領域１２内における位置は、図１に示したものに限定されるものではない。
【００１１】
＜基材１１＞
図２は、図１の印刷物１０の断面の一部を示す模式図である。図２に示される模式図は、印刷物１０の表面１３のうち特に印刷領域１２を含む部分の断面を示している。基材１１は、金属、プラスチック等の樹脂、石膏、木材等により構成される。また、基材１１の表面形状は、平面形状のものばかりでなく、図２に示されるように曲面を有しても良く、さらには、柔軟性又は可撓性があっても良い。基材１１に塗装、印刷をする工程に先立ち、基材１１の表面１３は、清浄化処理が施される。基材１１の材質により異なるが、通常実施されている各種の清浄化処理方法により行われる。ただし、塗装をした物などの表面が汚れていない状態の物は清浄化処理を行わなくても良い。
【００１２】
＜印刷要素１４＞
基材１１の表面１３上に印刷により印刷要素１４が設けられる。印刷要素１４は、小さいドットの集合であり、そのドットが複数集合して所定の形状になるように配置されている。所定の形状とは、例えば、文字、図形、又は記号等である。印刷要素１４が設けられている基材１１の表面１３上の領域を印刷領域１２と呼び、印刷要素１４が設けられていない領域を非印刷領域１５と呼ぶ。基材１１の表面１３上に設けられた複数の印刷要素１４は、例えば、それぞれが図２に示されるように断面形状が矩形になっている。だが、印刷要素１４の断面形状は、矩形に限定されず、例えば、台形形状や半円形状等の形状であっても良い。複数の印刷要素１４の間は、所定の距離を持って並べられており、印刷領域１２における複数の印刷要素１４の間の基材１１の表面１３を特に地肌面１６と呼ぶ。
【００１３】
本発明の実施の形態１において、印刷要素１４を構成するインキ又は塗料は、色は特に限定されず、無色透明又は有色透明であっても良い。後述する印刷領域１２を拡大して観察した場合に視認できるものであれば良い。印刷要素１４の表面１３が曲面を含む場合の印刷は、パッド印刷（オフセット印刷）により印刷される。表面１３が平面の場合の印刷は、パッド印刷以外のスクリーン印刷等の通常の印刷方法でもよい。印刷後において、印刷要素１４を構成するインキ又は塗料は、加熱、ＵＶ照射、又はインキ若しくは塗料の組成自体による固定化の働きにより固定化される。本発明の実施の形態１においては、印刷要素１４の大きさは、表面１３に垂直方向から見た際に縦横方向の寸法で１〜２０μｍの大きさで構成される。
【００１４】
＜印刷領域１２＞
図１に示される様に、基材１１の表面１３に所定の形状の印刷領域１２が形成されている。印刷領域１２は、印刷物１０を目視により観察することにより認識可能な形状となっている。
【００１５】
図３は、図１の印刷物１０の表面１３の印刷領域１２の一部の領域Ａを拡大したときの一例を示す図である。通常の観察者が印刷物１０の表面を目視により観察すると、印刷領域１２は、図１に示されるような三日月形状が認識される。しかし、印刷領域１２の領域Ａを拡大して観察すると、図３に示される様に、印刷により配置された印刷要素１４が所定の間隔をもって無数に配置されており、印刷要素１４は、複数集合して所定の形状を形成している。通常の印刷要素１４は、印刷領域１２の色、形状、明るさ等の仕様に応じて、所定の間隔を持って配置されている。しかし、本発明の実施の形態１においては、印刷領域１２の一部の領域に、印刷要素１４が所定の微小文字及び微小記号の少なくとも一方の形状に配置された微小印刷体１８が形成されている。また、１種類又は複数種類の微小印刷体１８が複数集まって微小印刷部１７を構成している。以下、印刷要素１４の集合により形成された微小文字及び微小記号の少なくとも一方を「微小印刷体１８」と省略して記載する場合がある。
【００１６】
微小印刷部１７は、アルファベットである微小印刷体１８と記号である微小印刷体１８から構成され、「ＳＨＵ−ＨＯＵ」という微小文字及び微小記号が認識できる様に構成されている。ただし、微小印刷部１７に形成されているそれぞれの微小印刷体１８は、本発明の実施の形態１に示されている「ＳＨＵ−ＨＯＵ」の形状に限られるものでは無い。微小印刷体１８は、印刷物１０の仕様に応じ適宜変更が可能である。また、微小印刷部１７に形成されている微小印刷体１８の大きさは、縦方向及び横方向とも１０μｍ以上、２５０μｍ以下であることが望ましい。微小文字及び微小記号の大きさを２５０μｍ以下にして構成することにより、偽造者は、微小印刷部１７に形成されている微小印刷体１８を認知することが困難になり、印刷物１０の偽造を抑制することができる。また、微小文字及び微小記号をより微小にすることにより印刷する技術が困難であるため、印刷物１０の偽造を抑制することができる。なお、微小印刷部１７は、印刷領域１２において、複数設けても良い。
【００１７】
図４は、図１の印刷物１０の表面１３の印刷領域１２の一部の領域Ａを拡大したときの別の一例を示す図である。図３においては、印刷領域１２の一部に微小印刷部１７を設け、その部分のみに微小印刷体１８を設けるものであった。一方、図４は、印刷領域１２の全体を複数の微小印刷部１７の集合により構成するものである。印刷領域１２を拡大すると、個々の微小印刷部１７は判読可能であるが、通常の人間が目視により印刷領域１２を観察した場合は個々の微小印刷部１７は認知することができない。微小印刷部１７に形成されている微小文字及び微小記号の大きさは、縦方向及び横方向とも１０μｍ以上、２５０μｍ以下であることが望ましい。微小文字及び微小記号の大きさを２５０μｍ以下にして構成することにより、偽造者は、微小印刷部１７に形成されている微小印刷体１８を認知することが困難になり、印刷物１０の偽造を抑制することができる。また、微小文字及び微小記号をより微小にすることにより印刷する技術が困難であるため、印刷物１０の偽造を抑制することができる。
【００１８】
また、図４においても、微小印刷部１７には「ＳＨＵ−ＨＯＵ」というそれぞれの微小印刷体１８が認識できる様に印刷要素１４が配置されている。ただし、微小印刷部１７に形成されているそれぞれの微小印刷体１８は、本発明の実施の形態１に示されている「ＳＨＵ−ＨＯＵ」の形状に限られるものでは無い。印刷要素１４は、複数の列に並べられて所定の印刷形状にされても良いし、一列に並べられて所定の印刷形状にされても良い。さらに、印刷要素１４は、丸い形状だけでなく、矩形状、ミミズ形状、又はその他の異形状であっても良い。また、図４に示されるところでは、複数の「ＳＨＵ−ＨＯＵ」の形状の微小印刷部１７のみにより印刷領域１２が構成されているが、異なる微小印刷体１８を混合して配置しても良い。多数の「ＳＨＵ−ＨＯＵ」形状の微小印刷体１８の中に一部異なる微小印刷体１８が混合して配置されていることにより、「ＳＨＵ−ＨＯＵ」単独で印刷領域１２を構成するよりも、異なる微小印刷体１８が認知される可能性が低くなるため、より印刷物１０の偽造を抑制することができる。
【００１９】
また、本発明の特徴でもある、微小印刷部１７の印刷は、極細線又は該極細線による微小文字及び微小記号、又は所定の分布により印刷された網点画像として印刷される。特に、本出願人の出願になる特願２００４−２５８８１１号「曲面の印刷方法及びそれによる曲面体」、特願２００４−２６３５５４号「曲面の印刷方法及びそれによる曲面体」等による印刷方法を使用することができる。極細線による印刷により、複雑な微小印刷体１８であっても作成することができる。また微小印刷体１８は網点画像によって構成しても良い。ただし、印刷方法は、上記に限定されず、適宜選択することができる。
【００２０】
＜効果＞
本発明の実施の形態１に係る印刷物１０は、基材１１と、基材１１上に配置される印刷要素１４と、印刷要素１４が複数集合して構成され、目視による判読が困難な大きさでかつ拡大して判読可能な微小文字又は微小記号である微小印刷体１８と、を備える。このように構成することにより、曲面を含む印刷物１０の表面の印刷領域１２に微小印刷体１８が含まれることが認知されにくく、偽造を意図しても偽造が困難な印刷物１０を提供することができる。また、偽造者が微小印刷体１８を認知しないまま偽造をしたとしても、印刷領域１２の少なくとも一部を拡大することにより偽造物であるか否かを判定できるため、偽造の判定を容易にすることができる。さらに、上述したプラスチック等の様々な材質であって曲面を含む基材１１に印刷することにより、多くの複雑な形状の製品に偽造防止のための印刷を施すことができるという利点がある。
【００２１】
また、本発明の実施の形態１に係る印刷物１０は、一種類以上の微小印刷体１８が複数集合して一群の微小印刷部１７を構成し、微小印刷部１７は、複数集合して目視により認識可能な所定の形状に形成された印刷領域１２を構成する。
このように構成することにより、印刷物１０の仕様に応じ自由に印刷領域１２を設けながらも、その少なくとも一部に偽造防止のための微小印刷部１７を設けることができる。つまり、印刷物１０に意匠性の高い印刷領域１２を設け、商品としての付加価値をつけられるだけでなく、商品の偽造を抑止できる。
【００２２】
また、本発明の実施の形態１に係る印刷物１０は、印刷領域１２は、複数の異なる微小印刷部１７を含むことを特徴とする。また、印刷領域１２は、全体が複数の異なる微小印刷部１７が集合して構成される。
このように構成することにより、印刷領域１２に含まれる微小印刷部１７を複雑に構成することができるため、より偽造防止のための微小印刷部１７を認知されにくくすることができる。これにより、さらに偽造の抑止効果が高まる。
【００２３】
また、本発明の実施の形態１に係る印刷物１０は、微小印刷体１８は、１０μｍ以上、２５０μｍ以下の大きさである。また、印刷要素は、基材１１の表面の法線方向から見た時の大きさが１μｍ以上２０μｍ以下である。このように構成することにより、微小印刷体１８を小さく精密にすることができるため、さらに微小印刷体１８が認知されにくくなる。また、微小印刷体１８及び微小印刷部１７をより複雑に構成することができる。これによりさらに偽造の抑止効果が高まる。また、微小印刷体１８を小さく精密にすることができることにより、より詳細な印刷領域１２であっても微小印刷体１８を設けることができるため、印刷領域１２の形状の自由度が増し、意匠性の高い印刷領域１２を設けつつ偽造抑止効果が得られる。
【符号の説明】
【００２４】
１０  印刷物、１１  基材、１２  印刷領域、１３  表面、１４  印刷要素、１５  非印刷領域、１６  地肌面、１７  微小印刷部、１８  微小印刷体、Ａ  領域。
【図１】
2018094730.tif 000003
【図２】
2018094730.tif 000004
【図３】
2018094730.tif 000005
【図４】
2018094730.tif 000006